(57)【要約】【課題】箱の素材としてのブランク版の交差折り畳み、多重折り畳みを可能にして箱体とブランク版の折り畳み後の薄化、短小化を可能にする。もって、箱体、箱用ブランク版の保管、再利用の為の発送元への搬送を容易化して、再組み立て、再利用を可能とする。【解決手段】一枚のブランク版からなる多角形柱状箱用ブランク版の交差折り畳み、多重に折り畳みの直角先端部３に刳り貫き穴４及び折り畳み用罫線上の別の刳り抜き穴６を加工し、刳り貫き穴相互を連結する切り込み線７を加工する。【選択図】    図１
2004149210.tif 000002
【特許請求の範囲】
【請求項１】
一枚のブランク版１から構成され、交差折り畳み角部２の直角先端部３の組み立て罫線上の刳り貫き穴４と交差折り畳み外側５の折り畳み用罫線（２９、３０，３１）上の刳り貫き穴６とを連結する切り込み線７を有することを特徴とする四角柱状箱用ブランク版。
【請求項２】
一枚のブランク版１から構成され、交差折り畳み角部２の直角先端部３の組み立て罫線上の刳り貫き穴４と交差折り畳み外側５の折り畳み用罫線（２９、３０，３１）上の刳り貫き穴６とを連結する切り込み線７を有することを特徴とする多角形柱状箱用ブランク版。
【請求項３】
箱の構造における交差折り畳みの容易化、並びに交差折り畳み時の箱の生地破裂を防止する請求項１記載の刳り貫き穴及び切り込みを有することを特徴とする箱用ブランク版。
【請求項４】
ブランク版の交差折り畳みを容易化する請求項１記載の刳り貫き穴及び折り畳み用罫線上の刳り貫き穴の位置及び構造。
【請求項５】
請求項１記載の折り畳み用罫線（２９、３０，３１）で箱体展開面横全長を等分する加工位置。
【請求項６】
箱の組み立て及び箱の保形を容易化する請求項１のブランク板における対向する１組の側壁の対片（８、１０）の切り込み線（１２，１３）及び同側壁片の穴３５の位置と形状。
【請求項７】
箱の組み立て及び箱の保形を容易化する請求項１のブランク版における対向する１組の側壁の対片（９，１１）の楔型切り込み（１４，１５）及び同側壁片の穴３５の位置と形状。
【発明の詳細な説明】
【０００１】
【発明の属する技術分野】
本発明は、繰り返し利用を容易化する為の多角柱状箱用のブランク板に交差折り畳み角部２の刳り貫き穴４と折り畳み用罫線（２９，３０，３１）上に設けた刳り貫き穴６とを連結した切り込み線７を加工した交差折り畳み及び再組み立て可能な箱用のブランク版の構造及び同ブランク版を用いた箱の再組み立て並びに折り畳み方法に関するものである。
【０００２】
【従来の技術】
従来の技術による箱体の折り畳み技術では正方体、直方体の箱の偏平化は可能である。加えて箱用ブランク版の折り畳み技術においては偏平化は可能である。しかしながら大型紙面、ポスター等を巻いた横長物等を梱包する横長直方体の箱及び箱用ブランク版を保管、再利用の為に折り畳むのには薄化、及びある程度の短小化は出来るが不十分である。
箱の再利用の為の保管、搬送に困難を来す。短小化する為にブランク版を無理に折り畳めば交差折り、多重折り畳みの角の部分で素材が破裂して再利用は不可能で従来の箱は搬送使用後殆ど廃棄処分されている。
折り畳み方法として箱を薄くする事を実施している例もある。
（例えば、実公平２−４８３３７）これらの折り畳み方法では、箱体の薄化は可能だが短小化、面積を狭くするには不十分である。
従って、発送元へ返送するにも、一個の折りたたまれた箱として個別単独に搬送しなければならず搬送コストが必要である。箱体、ブランク版の再利用には問題が有る。
又、折り畳まれた後の箱及びブランク版が広く、長く一般荷物との混載での発送元への返送に問題があった。
通い箱として再利用の為、発送元への返却は折り畳み後の縮小化が出来ないと困難。無理に折り畳み縮小化すれば、容器その物が破壊されるのが従来の技術による箱である。
最終処分の為の箱の縮小化は組み立て用罫線に沿って折り曲げは容易だが、自治体等が行う廃品回収においては折り畳んた後の長さに制限が有り、制限内の長さ広さに折り畳むのは非常に困難である。
【０００３】
【発明が解決しようとする課題】
従来の箱にあっては搬送済み後は、折り畳み後も、薄化はできるが、長さ、広さを縮小出来ない問題が有った。
箱用ブランク版を交差折り畳み、多重折り畳みを可能とする技術である。
【０００４】
本発明は、ブランク版１に組み立て用罫線（１６〜２８）に加えて折り畳み用の罫線（２９、３０，３１）及び交差折りの角２の刳り貫き穴４と折り畳み用罫線（２９，３０，３１）上の刳り貫き穴６とを連結する切り込み線７の加工を施し、交差折り畳み時の素材の破裂、破壊を防止し、折りたたんだ後の薄化、短化、小化、狭化される折り畳み可能な箱用のブランク版及びその構造を提供するものである。及び該箱の再組み立て法、折り畳み法を提供するものである。
併せて箱、ダンボールを廃棄処分するに当り、前述の刳り貫き穴、切り込み線を加工し、折り畳みを容易化し、折りたたんだ後、薄化、短化、小化、狭化を容易化してリサイクルが容易化される箱用ブランク版の構造を提供するものである。
【０００５】
【課題を解決する為の手段】
上記課題を達成する為に、本発明の交差折り畳み可能な箱用ブランク版１においては、形状において組み立て用罫線（１６〜２８）の及び折り畳み用罫線（２９，３０，３１）に加えて交差折り畳みの直角先端部３に加工する刳り貫き穴４と折り畳み用罫線（２９，３０，３１）上に加工する別の刳り貫き穴６とを連結する切り込線７を加工する。
【０００６】
上記刳り貫き穴（４，６）及び刳り貫き穴（４，６）を連結する切り込み線７の加工位置は図１に示すように、組み立て用罫線上及び折り畳み用罫線上に加工する。
【０００７】
折り畳み用罫線（２９、３０，３１）は箱用ブランク版の長辺と直角に全長横幅を等分間隔に加工する。
【０００８】
交差折り畳みの線にあたる折り畳み用罫線及び組み立て用罫線上には布製ガムテープ又はゴム状の塗料などで補強するのが望ましい。
【０００９】
【作用並びに効果】
上記の構成に成っているので該箱使用済み後ブランク版を交差折り、多重折りしても刳り貫き穴、及び切り込み線の効果で罫線に沿ってのブランク版の亀裂、破裂が生じなく無理なく交差折り畳み、多重折り畳みが可能でブランク版の折り畳み後の薄化、短小化が可能に成り保管、再利用の為の発送元への返送が容易になる。又、一般の箱の最終廃棄処分に当たっても請求項１に記載の刳り貫き穴及び切り込み線の加工技術を利用すれば、短小化の為の多重折り畳みが容易になり資源回収の選別が容易と成り、強いては最終処分コストの低減が可能となる。
箱生地素材資源のリサイクルコストの低減が可能である。
【００１０】
【発明の実施の形態】
発明実施の形態を実施例にもとづき図面を参照して説明する。
図１においてブランク版に箱体の開平形状を加工形成する。
次いで、組み立用罫線（１６〜２８）折り畳み用罫線（２９、３０，３１）を加工する。又刳り貫き穴（４，６）及び切り込み線７を加工する。
【００１１】
該箱（長四角柱状箱）を組み立てるに当たっては［請求項５］に示す側壁片（８、９，１０，１１）の切り込み線（１２、１３）と楔型切りこみ（１４、１５）とによる交差連結方法による。
箱体の組み立てに当たっては該箱長四角柱状箱は図３、図４の順序で図に示す通り組み立てる。
【００１２】
該箱（長四角柱状箱）を梱包するに当たっては、カバー辺Ａを組み立て用罫線２０上に加工した差込スリット３４に差し込む方法の外ガムテープによる。
【００１３】
該箱の梱包物の重さに依っては、図５のようにＤリング又はバックル付の平ベルトで行う。
【００１４】
該箱長四角柱状箱、ブランク版を折り畳むには箱の平ベルト及びガムテープを解き、図６，図７、図８、図９の順でブランク版の組み立て用罫線１８及折り畳み用用罫線（２９，３０，３１）に沿って折り畳む。
折り畳み後の面積はブランク版開平時の広さの約８分の１の狭さになる。
梱包用の平ベルトで十字型に締込めば厚さも狭められコンパクトに成り箱の保管、再利用の為の発送元への返送も容易になる。
【００１５】
請求項１に記載した技術を適用した三角柱状箱用ブランク版、多角柱状箱用ブランク版を折り畳むにも前記の四角柱状箱用ブランク版の折り畳み法に順じて折り畳む。
各々、刳り貫き穴及び連結する切り込み線の効果で交差折り畳み、多重折り畳みをしても罫線に沿った外側の箱生地の亀裂が生じなく交差折り畳み、多重折り畳みが容易である。
【００１６】
【発明の効果】
本発明は、以上説明したように構成されているので、以下に記載されるような効果を発揮する。即ち、該箱用のブランク版に組み立て用罫線の外、折り畳み用罫線及び刳り貫き穴相互を連結する切り込み線を加工することにより交差折り畳み、多重折り畳みおいてブランク版を破裂、破壊する事無く多重折りが可能で箱の素材としてのブランク版の短小化が可能に成る。
【００１７】
尚、この技術は、一般の箱の廃棄処分の際の折り畳みの容易化に活用可能である。もって、廃棄箱の資源選別が容易となり、リサイクルコストの低減にも貢献する。
【００１８】
【図面の簡単な説明】
【図  １】一枚のブランク版から形成される四角柱状箱用ブランク版開平図であり、加工の明示図である。
【図  ２】ブランク版の交差折り畳み後の直角先端部の見取り図である。
【図  ３】該当四角柱状箱の組み立て法の見取り図である。
【図  ４】該当四角柱状箱の組み立て法の見取り図である。
【図  ５】該当四角柱状箱の梱包の見取り図である。
【図  ６】該当四角柱状箱用のブランク版折り畳み見取り図である。
【図  ７】該当四角柱状箱用のブランク版折り畳み見取り図である。
【図  ８】該当四角柱状箱用のブランク版折り畳み見取り図である。
【図  ９】該当四角柱状箱用のブランク版折り畳み見取り図である。
【００１９】
【符号の説明】
１  一枚のブランク版
２  交差折り畳み角部
３  交差折り畳み直角先端部
４  組み立て罫線上の刳り貫き穴
５  交差折り畳みの外側
６  折り畳み罫線上の刳り貫き穴
７  切り込み線
８  側壁片
９  側壁片
１０側壁片
１１側壁片
１２切り抜き線
１３切り抜き線
１４楔型切り込み
１５楔型切り込み
１６組み立て用罫線
１７組み立て用罫線
１８組み立て用罫線
１９組み立て用罫線
２０組み立て用罫線
２１組み立て用罫線
２２組み立て用罫線
２３組み立て用罫線
２４組み立て用罫線
２５組み立て用罫線
２６組み立て用罫線
２７組み立て用罫線
２８組み立て用罫線
２９折り畳み用罫線
３０折り畳み用罫線
３１折り畳み用罫線
３２カバー片Ａ
３３カバー片Ｂ
３４カバー片Ａの差込スリット
３５側壁片の穴
３６天蓋面
３７底面
３８側壁Ａ
３９側壁Ｂ
４０側カバー片Ａ
４１側カバー片Ｂ
４２中押え片
【図１】
2004149210.tif 000003
【図２】
2004149210.tif 000004
【図３】
2004149210.tif 000005
【図４】
2004149210.tif 000006
【図５】
2004149210.tif 000007
【図６】
2004149210.tif 000008
【図７】
2004149210.tif 000009
【図８】
2004149210.tif 000010
【図９】
2004149210.tif 000011